(57)【要約】  本願の実施例は、周波数帯域の構成や利用処理に関する通信性能を向上させることができる無線通信方法及びデバイスを提供する。当該方法は、ネットワークデバイスが第１の上りリンクキャリアを決定することと、前記ネットワークデバイスが前記端末デバイスに第１の情報を送信することとを含み、前記第１の上りリンクキャリアが、端末デバイスのために使用されることができる複数の上りリンクキャリアのうちの上りリンクキャリアであり、前記第１の情報が、前記端末デバイスが前記第１の上りリンクキャリアを利用し又は利用することができ、上り伝送を行い、又は、前記第１の上りリンクキャリアを処理するように指示する。
2020537370.tif 000002
【特許請求の範囲】
【請求項１】
ネットワークデバイスが第１の上りリンクキャリアを決定することと、
前記ネットワークデバイスが端末デバイスに第１の情報を送信することとを含み、
前記第１の上りリンクキャリアが、端末デバイスのために使用されることができる複数の上りリンクキャリアのうちの上りリンクキャリアであり、
前記第１の情報が、前記端末デバイスが前記第１の上りリンクキャリアを利用し又は利用することができ、上り伝送を行い、又は、前記第１の上りリンクキャリアを処理するように指示する
ことを特徴とする無線通信方法。
【請求項２】
前記ネットワークデバイスが前記端末デバイスに第１の情報を送信することは、
前記ネットワークデバイスがブロードキャストシグナリング、余剰最小システム情報ＲＭＳＩ、又はシステム情報を介して複数の前記端末デバイスに前記第１の情報を送信することを含む
ことを特徴とする請求項１に記載の無線通信方法。
【請求項３】
前記ネットワークデバイスが前記端末デバイスに第１の情報を送信することは、
前記ネットワークデバイスが上位レイヤシグナリングを介して単一の前記端末デバイスに前記第１の情報を送信することを含む
ことを特徴とする請求項１に記載の無線通信方法。
【請求項４】
前記第１の情報が、前記端末デバイスが前記第１の上りリンクキャリアを利用して上り伝送を行うように指示し、
前記方法は、さらに、
前記ネットワークデバイスが前記端末デバイスに第２の情報を送信することを含み、前記第２の情報が、前記端末デバイスに対して前記第１の上りリンクキャリアを活性化し又は構成するために用いられる
ことを特徴とする請求項１〜３のいずれか１項に記載の無線通信方法。
【請求項５】
前記第１の情報が下り制御情報ＤＣＩに搬送される
ことを特徴とする請求項４に記載の無線通信方法。
【請求項６】
前記方法は、さらに、
前記ネットワークデバイスが、端末デバイスに使用されることができる複数の上りリンクキャリアから、第２の上りリンクキャリアを決定することと、
前記ネットワークデバイスが前記端末デバイスに第３の情報を送信することとを含み、
前記第３の情報が、前記端末デバイスが前記第２の上りリンクキャリアを利用して上り伝送を行うように指示し、
前記第１の情報の送信と前記第３の情報の送信が、前記第１の上りリンクキャリアが活性化又は構成された後の前記端末デバイスのスケジューリングのうちの異なるスケジューリング過程にそれぞれ行う
ことを特徴とする請求項４又は５に記載の無線通信方法。
【請求項７】
前記第１の情報が、前記端末デバイスが前記第１の上りリンクキャリアを利用して上り伝送を行うように指示し、
前記方法は、さらに、
前記ネットワークデバイスが第３の上りリンクキャリアを決定することと、
前記ネットワークデバイスが前記端末デバイスに第４の情報を送信することとを含み、
前記第３の上りリンクキャリアが、前記複数の上りリンクキャリアのうちの非前記第１の上りリンクキャリアのリンクキャリアであり、
前記第４の情報が、前記端末デバイスが前記第３の上りリンクキャリアを利用して上り伝送を行うように指示して、前記端末デバイスが前記第１の上りリンクキャリアの利用を停止して前記第３の上りリンクキャリアを利用して上り伝送を行う
ことを特徴とする請求項１〜３のいずれか１項に記載の無線通信方法。
【請求項８】
前記上り伝送が、物理上り制御チャネルＰＵＣＣＨ伝送又は物理上り共有チャネルＰＵＳＣＨ伝送である
ことを特徴とする請求項４〜７のいずれか１項に記載の無線通信方法。
【請求項９】
前記第１の情報がサウンディング基準信号ＳＲＳに関連する情報に搬送され、
前記第１の情報が、前記端末デバイスが前記第１の上りリンクキャリアを利用してＳＲＳの伝送を行うように指示する
ことを特徴とする請求項１〜７のいずれか１項に記載の無線通信方法。
【請求項１０】
前記第１の情報が、ＳＲＳを半静的に構成するＳＲＳ構成情報に搬送され、又は、
前記第１の情報が、ＳＲＳを動的にトリガーするトリガーメッセージに搬送される
ことを特徴とする請求項９に記載の無線通信方法。
【請求項１１】
前記第１の情報が、ランダムアクセス手順のための構成情報に搬送され、
前記第１の情報が、前記端末デバイスが前記第１の上りリンクキャリアを利用し又は利用することができ、ランダムアクセス手順を行うように指示する
ことを特徴とする請求項１〜７のいずれか１項に記載の無線通信方法。
【請求項１２】
前記構成情報が、基準キャリア位置に対する前記ランダムアクセスリソースの周波数領域の位置を示す
ことを特徴とする請求項１１に記載の無線通信方法。
【請求項１３】
前記基準キャリア位置が前記第１の上りリンクキャリアのキャリア位置であり、又は、
前記基準キャリア位置が前記複数の上りリンクキャリアのうちの非前記第１の上りリンクキャリアである他の上りリンクキャリアのキャリア位置であり、又は、
前記基準キャリア位置が前記端末デバイスの下りリンクキャリアのキャリア位置である
ことを特徴とする請求項１２に記載の無線通信方法。
【請求項１４】
前記構成情報が属する構成シグナリングは、さらに、少なくとも１つの第２の上りリンクキャリアに対してランダムアクセス手順を行うランダムアクセスリソース及び／又はランダムアクセスコードを示す
ことを特徴とする請求項１１〜１３のいずれか１項に記載の無線通信方法。
【請求項１５】
前記方法は、さらに、
前記ネットワークデバイスが前記端末デバイスに指示情報を送信することを含み、前記指示情報が、ランダムアクセス時の上りリンクキャリアの選択に使用されるパラメータを示す
ことを特徴とする請求項１４に記載の無線通信方法。
【請求項１６】
前記パラメータは、端末デバイスが上りリンクキャリアに対応する下りリンクＤＬ信号閾値を確定し、前記端末デバイスがＤＬ信号測定結果とＤＬ信号閾値関係に基づいて、対応する上りリンクキャリアを選択してランダムアクセス手順に使用するために用いられる
ことを特徴とする請求項１５に記載の無線通信方法。
【請求項１７】
前記指示情報が、前記構成情報が属する構成シグナリングに搬送され、又は、
前記指示情報がブロードキャストシグナリング、ＲＭＳＩ、又はシステム情報を介して送信される
ことを特徴とする請求項１５又は１６に記載の無線通信方法。
【請求項１８】
前記ランダムアクセス手順が、競合フリーのランダムアクセス手順である
ことを特徴とする請求項１〜１７のいずれか１項に記載の無線通信方法。
【請求項１９】
前記第１の情報が、タイミング調整のためのコマンドに搬送され、又は、タイミング調整のためのコマンドの伝送に搬送され、前記第１の情報は、前記第１の上りリンクキャリアに対してタイミング調整を行うように指示する
ことを特徴とする請求項１〜８のいずれか１項に記載の無線通信方法。
【請求項２０】
前記第１の情報が、タイミング調整のためのコマンドに含まれるフィールドに搬送され、又は、
前記第１の情報が、前記タイミング調整のためのコマンドが搬送される物理層チャネルの処理情報で示す
ことを特徴とする請求項１９に記載の無線通信方法。
【請求項２１】
前記第１の情報が、前記端末デバイスの電力調整情報に搬送され、又は、電力調整情報のための伝送に搬送され、前記第１の情報が、前記第１の上りリンクキャリアを電力調整するように指示する
ことを特徴とする請求項１〜８のいずれか１項に記載の無線通信方法。
【請求項２２】
前記端末デバイスに使用されることができる複数の上りリンクキャリアが、複数の異なる周波数帯域にそれぞれ位置する
ことを特徴とする請求項１〜２１のいずれか１項に記載の無線通信方法。
【請求項２３】
前記第１の上りリンクキャリアが位置する周波数帯域が、他の上りリンクキャリアの周波数帯域よりも低い
ことを特徴とする請求項２２に記載の無線通信方法。
【請求項２４】
ネットワークデバイスが、端末デバイスが端末デバイスのための複数の上りリンクキャリアに対して報告した電力ヘッドルームレポートを受信することを含む
ことを特徴とする無線通信方法。
【請求項２５】
前記電力ヘッドルームレポートは、前記端末デバイスが前記複数の上りリンクキャリアの各上りリンクキャリアに対してそれぞれ報告した電力ヘッドルームレポートを含む
ことを特徴とする請求項２４に記載の無線通信方法。
【請求項２６】
前記電力ヘッドルームレポートは、前記端末デバイスが前記複数の上りリンクキャリアを全体として報告した電力ヘッドルームレポートを含む
ことを特徴とする請求項２４又は２５に記載の無線通信方法。
【請求項２７】
前記端末デバイスに使用されることができる複数の上りリンクキャリアが、複数の異なる周波数帯域にそれぞれ位置する
ことを特徴とする請求項２４〜２６のいずれか１項に記載の無線通信方法。
【請求項２８】
端末デバイスがネットワークデバイスにより送信された第１の情報を受信することと、
前記第１の情報に基づいて、第１の上りリンクキャリアを利用し又は選択して利用し、上り伝送を行い、又は、前記第１の上りリンクキャリアを処理することとを含み、
前記第１の情報が、前記端末デバイスが第１の上りリンクキャリアを利用し又は利用することができ、上り伝送を行い、又は、前記第１の上りリンクキャリアを処理するように指示し、前記第１の上りリンクキャリアが、端末デバイスのために使用されることができる複数の上りリンクキャリアのうちの上りリンクキャリアである
ことを特徴とする無線通信方法。
【請求項２９】
前記端末デバイスがネットワークデバイスにより送信された第１の情報を受信することは、
前記端末デバイスが、前記ネットワークデバイスがブロードキャストシグナリング、余剰最小システム情報ＲＭＳＩ、又はシステム情報を介して送信した前記第１の情報を受信することを含む
ことを特徴とする請求項２８に記載の無線通信方法。
【請求項３０】
前記端末デバイスがネットワークデバイスにより送信された第１の情報を受信することは、
前記端末デバイスが、前記ネットワークデバイスが上位レイヤシグナリングを介して送信した前記第１の情報を受信することを含む
ことを特徴とする請求項２８に記載の無線通信方法。
【請求項３１】
前記第１の情報が、前記端末デバイスが前記第１の上りリンクキャリアを利用して上り伝送を行うように指示し、
前記方法は、さらに、
前記端末デバイスが、前記ネットワークデバイスにより送信された第２の情報を受信することと、
前記端末デバイスが前記第１の上りリンクキャリアを活性化し又は構成することとを含み、
前記第２の情報が、前記端末デバイスに対して前記第１の上りリンクキャリアを活性化し又は構成するために用いられる
ことを特徴とする請求項２８〜３０のいずれか１項に記載の無線通信方法。
【請求項３２】
前記第１の情報が下り制御情報ＤＣＩに搬送される
ことを特徴とする請求項３１に記載の無線通信方法。
【請求項３３】
前記方法は、さらに、
前記端末デバイスが前記ネットワークデバイスにより送信された第３の情報を受信することと、
前記第３の情報に基づいて、前記ネットワークデバイスが前記第２の上りリンクキャリアを利用して上り伝送を行うこととを含み、
前記第３の情報が、前記端末デバイスが前記第２の上りリンクキャリアを利用して上り伝送を行うように指示し、前記第２の上りリンクキャリアが前記複数の上りリンクキャリアのうちの非前記第１の上りリンクキャリアのリンクキャリアであり、
前記第１の情報の伝送と前記第３の情報の伝送が、前記第１の上りリンクキャリアが活性化され又は構成された後の前記端末デバイスのスケジューリングのうちの異なるスケジューリング過程にそれぞれ行う
ことを特徴とする請求項３１又は３２に記載の無線通信方法。
【請求項３４】
前記第１の情報が、前記端末デバイスが前記第１の上りリンクキャリアを利用して上り伝送を行うように指示し、
前記方法は、さらに、
前記端末デバイスが前記ネットワークデバイスにより送信された第４の情報を受信することと、
前記端末デバイスが前記第１の上りリンクキャリアの利用を停止して第３の上りリンクキャリアを利用して上り伝送を行うこととを含み、
前記第４の情報が、前記端末デバイスが前記第３の上りリンクキャリアを利用して上り伝送を行うように指示し、前記第３の上りリンクキャリアが、前記複数の上りリンクキャリアのうちの非前記第１の上りリンクキャリアのリンクキャリアである
ことを特徴とする請求項２８〜３０のいずれか１項に記載の無線通信方法。
【請求項３５】
前記上り伝送が、ＰＵＣＣＨ伝送又はＰＵＳＣＨ伝送である
ことを特徴とする請求項３１〜３４のいずれか１項に記載の無線通信方法。
【請求項３６】
前記第１の情報がサウンディング基準信号ＳＲＳに関連する情報に搬送され、
前記第１の情報が、前記端末デバイスが前記第１の上りリンクキャリアを利用してＳＲＳの伝送を行うように指示する
ことを特徴とする請求項２８〜３４のいずれか１項に記載の無線通信方法。
【請求項３７】
前記第１の情報が、ＳＲＳを半静的に構成するＳＲＳ構成情報に搬送され、又は、
前記第１の情報が、ＳＲＳを動的にトリガーするトリガーメッセージに搬送される
ことを特徴とする請求項３６に記載の無線通信方法。
【請求項３８】
前記第１の情報が、ランダムアクセス手順のための構成情報に搬送され、
前記第１の情報が、前記端末デバイスが前記第１の上りリンクキャリアを利用し又は利用することができ、ランダムアクセス手順を行うように指示する
ことを特徴とする請求項２８〜３４のいずれか１項に記載の無線通信方法。
【請求項３９】
前記構成情報が、基準キャリア位置に対する前記ランダムアクセスリソースの周波数領域の位置を示す
ことを特徴とする請求項３８に記載の無線通信方法。
【請求項４０】
前記基準キャリア位置が前記第１の上りリンクキャリアのキャリア位置であり、又は、
前記基準キャリア位置が前記複数の上りリンクキャリアのうちの非前記第１の上りリンクキャリアである他の上りリンクキャリアのキャリア位置であり、又は、
前記基準キャリア位置が前記端末デバイスの下りリンクキャリアのキャリア位置である
ことを特徴とする請求項３９に記載の無線通信方法。
【請求項４１】
前記構成情報が属する構成シグナリングは、さらに、少なくとも１つの第２の上りリンクキャリアに対してランダムアクセス手順を行うランダムアクセスリソース及び／又はランダムアクセスコードを示す
ことを特徴とする請求項３８〜４０のいずれか１項に記載の無線通信方法。
【請求項４２】
前記方法は、さらに、
前記端末デバイスが前記ネットワークデバイスにより送信された指示情報を受信することを含み、前記指示情報が、ランダムアクセス時の上りリンクキャリアの選択に使用されるパラメータを示す
ことを特徴とする請求項４１に記載の無線通信方法。
【請求項４３】
前記パラメータが、端末デバイスが上りリンクキャリアに対応するＤＬ信号閾値を決定するために用いられ、ＤＬ信号測定結果とＤＬ信号閾値との関係に基づいて、対応する上りリンクキャリアを選択してランダムアクセス手順に使用する
ことを特徴とする請求項４２に記載の無線通信方法。
【請求項４４】
前記指示情報が、前記構成情報が属する構成シグナリングに搬送され、又は、
前記指示情報がブロードキャストシグナリング、ＲＭＳＩ、又はシステム情報を介して送信される
ことを特徴とする請求項４２又は４３に記載の無線通信方法。
【請求項４５】
前記ランダムアクセス手順が、競合フリーのランダムアクセス手順である
ことを特徴とする請求項２８〜４４のいずれか１項に記載の無線通信方法。
【請求項４６】
前記第１の情報が、タイミング調整のためのコマンドに搬送され、又は、タイミング調整のためのコマンドの伝送に搬送され、前記第１の情報は、前記第１の上りリンクキャリアに対してタイミング調整を行うように指示する
ことを特徴とする請求項２８〜３５のいずれか１項に記載の無線通信方法。
【請求項４７】
前記第１の情報が、タイミング調整のためのコマンドに含まれるフィールドに搬送され、又は、
前記第１の情報が、前記タイミング調整のためのコマンドが搬送される物理層チャネルの処理情報で示す
ことを特徴とする請求項４６に記載の無線通信方法。
【請求項４８】
前記第１の情報が、前記端末デバイスの電力調整情報に搬送され、又は、電力調整情報のための伝送に搬送され、前記第１の情報が、前記第１の上りリンクキャリアを電力調整するように指示する
ことを特徴とする請求項２８〜３５のいずれか１項に記載の無線通信方法。
【請求項４９】
前記端末デバイスに使用されることができる複数の上りリンクキャリアが、複数の異なる周波数帯域にそれぞれ位置する
ことを特徴とする請求項２８〜４８のいずれか１項に記載の無線通信方法。
【請求項５０】
前記第１の上りリンクキャリアが位置する周波数帯域が、他の上りリンクキャリアの周波数帯域よりも低い
ことを特徴とする請求項４９に記載の無線通信方法。
【請求項５１】
端末デバイスが、端末デバイスに使用されることができる複数の上りリンクキャリアに基づいて、電力ヘッドルームレポートを決定することと、
前記端末デバイスが前記ネットワークデバイスに前記電力ヘッドルームレポートを送信することとを含む
ことを特徴とする無線通信方法。
【請求項５２】
前記電力ヘッドルームレポートは、前記端末デバイスが前記複数の上りリンクキャリアの各上りリンクキャリアに対してそれぞれ決定した電力ヘッドルームレポートを含む
ことを特徴とする請求項５１に記載の無線通信方法。
【請求項５３】
前記電力ヘッドルームレポートは、前記端末デバイスが前記複数の上りリンクキャリアを全体として取得した電力ヘッドルームレポートを含む
ことを特徴とする請求項５１又は５２に記載の無線通信方法。
【請求項５４】
前記端末デバイスに使用されることができる複数の上りリンクキャリアが、複数の異なる周波数帯域にそれぞれ位置する
ことを特徴とする請求項５１〜５３のいずれか１項に記載の無線通信方法。
【請求項５５】
処理ユニットと、通信ユニットと、を備えるネットワークデバイスであって、
前記処理ユニットは、第１の上りリンクキャリアを決定するように構成され、前記第１の上りリンクキャリアが、端末デバイスのために使用されることができる複数の上りリンクキャリアのうちの上りリンクキャリアであり、
前記通信ユニットは、前記端末デバイスに第１の情報を送信するように構成され、前記第１の情報が、前記端末デバイスが前記第１の上りリンクキャリアを利用し又は利用することができ、上り伝送を行い、又は、前記第１の上りリンクキャリアを処理するように指示する
ことを特徴とするネットワークデバイス。
【請求項５６】
前記通信ユニットは、さらに、
ブロードキャストシグナリング、余剰最小システム情報ＲＭＳＩ、又はシステム情報を介して複数の前記端末デバイスに前記第１の情報を送信するように構成される
ことを特徴とする請求項５５に記載のネットワークデバイス。
【請求項５７】
前記通信ユニットは、さらに、
上位レイヤシグナリングを介して単一の前記端末デバイスに前記第１の情報を送信するように構成される
ことを特徴とする請求項５５に記載のネットワークデバイス。
【請求項５８】
前記第１の情報が、前記端末デバイスが前記第１の上りリンクキャリアを利用して上り伝送を行うように指示し、
前記通信ユニットは、さらに、
前記端末デバイスに第２の情報を送信するように構成され、前記第２の情報が、前記端末デバイスに対して前記第１の上りリンクキャリアを活性化し又は構成するために用いられる
ことを特徴とする請求項５５〜５７のいずれか１項に記載のネットワークデバイス。
【請求項５９】
前記第１の情報が下り制御情報ＤＣＩに搬送される
ことを特徴とする請求項５８に記載のネットワークデバイス。
【請求項６０】
前記処理ユニットは、さらに、端末デバイスに使用されることができる複数の上りリンクキャリアから、第２の上りリンクキャリアを決定するように構成され、
前記通信ユニットは、さらに、前記端末デバイスに第３の情報を送信するように構成され、前記第３の情報が、前記端末デバイスが前記第２の上りリンクキャリアを利用して上り伝送を行うように指示し、
前記第１の情報の送信と前記第３の情報の送信が、前記第１の上りリンクキャリアが活性化又は構成された後の前記端末デバイスのスケジューリングのうちの異なるスケジューリング過程にそれぞれ行う
ことを特徴とする請求項５８又は５９に記載のネットワークデバイス。
【請求項６１】
前記第１の情報が、前記端末デバイスが前記第１の上りリンクキャリアを利用して上り伝送を行うように指示し、
前記処理ユニットは、さらに、第３の上りリンクキャリアを決定するように構成され、前記第３の上りリンクキャリアが、前記複数の上りリンクキャリアのうちの非前記第１の上りリンクキャリアのリンクキャリアであり、
前記通信ユニットは、さらに、前記端末デバイスに第４の情報を送信するように構成され、前記第４の情報が前記端末デバイスが前記第３の上りリンクキャリアを利用して上り伝送を行うように指示して、前記端末デバイスが前記第１の上りリンクキャリアの利用を停止して前記第３の上りリンクキャリアを利用して上り伝送を行う
ことを特徴とする請求項５５〜５７のいずれか１項に記載のネットワークデバイス。
【請求項６２】
前記上り伝送が物理上り制御チャネルＰＵＣＣＨ伝送又は物理上り共有チャネルＰＵＳＣＨ伝送である
ことを特徴とする請求項５８〜６１のいずれか１項に記載のネットワークデバイス。
【請求項６３】
前記第１の情報がサウンディング基準信号ＳＲＳに関連する情報に搬送され、
前記第１の情報が、前記端末デバイスが前記第１の上りリンクキャリアを利用してＳＲＳの伝送を行うように指示する
ことを特徴とする請求項５５〜６１のいずれか１項に記載のネットワークデバイス。
【請求項６４】
前記第１の情報が、ＳＲＳを半静的に構成するＳＲＳ構成情報に搬送され、又は、
前記第１の情報が、ＳＲＳを動的にトリガーするトリガーメッセージに搬送される
ことを特徴とする請求項６３に記載のネットワークデバイス。
【請求項６５】
前記第１の情報が、ランダムアクセス手順のための構成情報に搬送され、
前記第１の情報が、前記端末デバイスが前記第１の上りリンクキャリアを利用し又は利用することができ、ランダムアクセス手順を行うように指示する
ことを特徴とする請求項５５〜６１のいずれか１項に記載のネットワークデバイス。
【請求項６６】
前記構成情報が、基準キャリア位置に対する前記ランダムアクセスリソースの周波数領域の位置を示す
ことを特徴とする請求項６５に記載のネットワークデバイス。
【請求項６７】
前記基準キャリア位置が前記第１の上りリンクキャリアのキャリア位置であり、又は、
前記基準キャリア位置が前記複数の上りリンクキャリアのうちの非前記第１の上りリンクキャリアである他の上りリンクキャリアのキャリア位置であり、又は、
前記基準キャリア位置が前記端末デバイスの下りリンクキャリアのキャリア位置である
ことを特徴とする請求項６６に記載のネットワークデバイス。
【請求項６８】
前記構成情報が属する構成シグナリングは、さらに、少なくとも１つの第２の上りリンクキャリアに対してランダムアクセス手順を行うランダムアクセスリソース及び／又はランダムアクセスコードを示す
ことを特徴とする請求項６５〜６７のいずれか１項に記載のネットワークデバイス。
【請求項６９】
前記ネットワークデバイスが前記端末デバイスに指示情報を送信し、前記指示情報が、ランダムアクセス時の上りリンクキャリアの選択に使用されるパラメータを示す
ことを特徴とする請求項６８に記載のネットワークデバイス。
【請求項７０】
前記パラメータが、端末デバイスが上りリンクキャリアに対応するＤＬ信号閾値を決定し、前記端末デバイスＤＬ信号測定結果とＤＬ信号閾値との関係に基づいて、対応する上りリンクキャリアを選択してランダムアクセス手順に使用するために用いられる
ことを特徴とする請求項６９に記載のネットワークデバイス。
【請求項７１】
前記指示情報が、前記構成情報が属する構成シグナリングに搬送され、又は、
前記指示情報がブロードキャストシグナリング、ＲＭＳＩ、又はシステム情報を介して送信される
ことを特徴とする請求項６９又は７０に記載のネットワークデバイス。
【請求項７２】
前記ランダムアクセス手順が、競合フリーのランダムアクセス手順である
ことを特徴とする請求項５５〜７１のいずれか１項に記載のネットワークデバイス。
【請求項７３】
前記第１の情報が、タイミング調整のためのコマンドに搬送され、又は、タイミング調整のためのコマンドの伝送に搬送され、前記第１の情報は、前記第１の上りリンクキャリアに対してタイミング調整を行うように指示する
ことを特徴とする請求項５５〜６２のいずれか１項に記載のネットワークデバイス。
【請求項７４】
前記第１の情報が、タイミング調整のためのコマンドに含まれるフィールドに搬送され、又は、
前記第１の情報が、前記タイミング調整のためのコマンドが搬送される物理層チャネルの処理情報で示す
ことを特徴とする請求項７３に記載のネットワークデバイス。
【請求項７５】
前記第１の情報が、前記端末デバイスの電力調整情報に搬送され、又は、電力調整情報のための伝送に搬送され、前記第１の情報が、前記第１の上りリンクキャリアを電力調整するように指示する
ことを特徴とする請求項５５〜６２のいずれか１項に記載のネットワークデバイス。
【請求項７６】
前記端末デバイスに使用されることができる複数の上りリンクキャリアが、複数の異なる周波数帯域にそれぞれ位置する
ことを特徴とする請求項５５〜７５のいずれか１項に記載のネットワークデバイス。
【請求項７７】
前記第１の上りリンクキャリアが位置する周波数帯域が、他の上りリンクキャリアの周波数帯域よりも低い
ことを特徴とする請求項７６に記載のネットワークデバイス。
【請求項７８】
通信ユニットと、処理ユニットと、を備えるネットワークデバイスであって、
前記通信ユニットは、端末デバイスが端末デバイスに使用されることができる複数の上りリンクキャリアに対して報告された電力ヘッドルームレポートを受信するように構成され、
前記処理ユニットは、前記電力ヘッドルームレポートを処理するように構成される
ことを特徴とするネットワークデバイス。
【請求項７９】
前記電力ヘッドルームレポートは、前記端末デバイスが前記複数の上りリンクキャリアの各上りリンクキャリアに対してそれぞれ報告した電力ヘッドルームレポートを含む
ことを特徴とする請求項７８に記載のネットワークデバイス。
【請求項８０】
前記電力ヘッドルームレポートは、前記端末デバイスが前記複数の上りリンクキャリアを全体として報告した電力ヘッドルームレポートを含む
ことを特徴とする請求項７８又は７９に記載のネットワークデバイス。
【請求項８１】
前記端末デバイスに使用されることができる複数の上りリンクキャリアが、複数の異なる周波数帯域にそれぞれ位置する
ことを特徴とする請求項７８〜８０のいずれか１項に記載のネットワークデバイス。
【請求項８２】
通信ユニットと処理ユニットと、を備える端末デバイスであって、
前記通信ユニットは、ネットワークデバイスにより送信された第１の情報を受信するように構成され、前記第１の情報が、前記端末デバイスが第１の上りリンクキャリアを利用して又は利用することができ、上り伝送を行い、又は、前記第１の上りリンクキャリアを処理するように指示し、前記第１の上りリンクキャリアが、端末デバイスのために使用されることができる複数の上りリンクキャリアのうちの上りリンクキャリアであり、
前記処理ユニットは、前記第１の情報に基づいて、前記第１の上りリンクキャリアを利用し又は選択して利用し、上り伝送を行い、又は、前記第１の上りリンクキャリアを処理するように構成される
ことを特徴とする端末デバイス。
【請求項８３】
前記通信ユニットは、さらに、
前記ネットワークデバイスがブロードキャストシグナリング、余剰最小システム情報ＲＭＳＩ、又はシステム情報を介して送信した前記第１の情報を受信するように構成される
ことを特徴とする請求項８２に記載の端末デバイス。
【請求項８４】
前記通信ユニットは、さらに、
前記ネットワークデバイスが上位レイヤシグナリングを介して送信した前記第１の情報を受信するように構成される
ことを特徴とする請求項８２に記載の端末デバイス。
【請求項８５】
前記第１の情報が、前記端末デバイスが前記第１の上りリンクキャリアを利用して上り伝送を行うように指示し、
前記通信ユニットは、さらに、前記ネットワークデバイスにより送信された第２の情報を受信し、前記第２の情報が、前記端末デバイスに対して前記第１の上りリンクキャリアを活性化し又は構成するために用いられ、
前記処理ユニットは、さらに、前記第１の上りリンクキャリアを活性化又は構成するように構成される
ことを特徴とする請求項８２〜８４のいずれか１項に記載の端末デバイス。
【請求項８６】
前記第１の情報が下り制御情報ＤＣＩに搬送される
ことを特徴とする請求項８５に記載の端末デバイス。
【請求項８７】
前記通信ユニットは、さらに、前記ネットワークデバイスにより送信された第３の情報を受信するように構成され、前記第３の情報が、前記端末デバイスが前記第２の上りリンクキャリアを利用して上り伝送を行うように指示し、前記第２の上りリンクキャリアが前記複数の上りリンクキャリアのうちの非前記第１の上りリンクキャリアのリンクキャリアであり、
前記処理ユニットは、さらに、前記第３の情報に基づいて、前記第２の上りリンクキャリアを利用して上り伝送を行うように構成され、
前記第１の情報の伝送と前記第３の情報の伝送が、前記第１の上りリンクキャリアが活性化され又は構成された後の前記端末デバイスのスケジューリングのうちの異なるスケジューリング過程にそれぞれ行う
ことを特徴とする請求項８５又は８６に記載の端末デバイス。
【請求項８８】
前記第１の情報が、前記端末デバイスが前記第１の上りリンクキャリアを利用して上り伝送を行うように指示し、
前記通信ユニットは、さらに、前記ネットワークデバイスにより送信された第４の情報を受信するように構成され、前記第４の情報が、前記端末デバイスが前記第３の上りリンクキャリアを利用して上り伝送を行うように指示し、前記第３の上りリンクキャリアが、前記複数の上りリンクキャリアのうちの非前記第１の上りリンクキャリアのリンクキャリアであり、
前記処理ユニットは、さらに、前記第１の上りリンクキャリアの利用を停止し、前記第３の上りリンクキャリアを利用して上り伝送を行うように構成される
ことを特徴とする請求項８２〜８４のいずれか１項に記載の端末デバイス。
【請求項８９】
前記上り伝送が、ＰＵＣＣＨ伝送又はＰＵＳＣＨ伝送である
ことを特徴とする請求項８５〜８８のいずれか１項に記載の端末デバイス。
【請求項９０】
前記第１の情報がサウンディング基準信号ＳＲＳに関連する情報に搬送され、
前記第１の情報が、前記端末デバイスが前記第１の上りリンクキャリアを利用してＳＲＳの伝送を行うように指示する
ことを特徴とする請求項８２〜８８のいずれか１項に記載の端末デバイス。
【請求項９１】
前記第１の情報が、ＳＲＳを半静的に構成するＳＲＳ構成情報に搬送され、又は、
前記第１の情報が、ＳＲＳを動的にトリガーするトリガーメッセージに搬送される
ことを特徴とする請求項９０に記載の端末デバイス。
【請求項９２】
前記第１の情報が、ランダムアクセス手順のための構成情報に搬送され、
前記第１の情報が、前記端末デバイスが前記第１の上りリンクキャリアを利用し又は利用することができ、ランダムアクセス手順を行うように指示する
ことを特徴とする請求項８２〜８８のいずれか１項に記載の端末デバイス。
【請求項９３】
前記構成情報が、基準キャリア位置に対する前記ランダムアクセスリソースの周波数領域の位置を示す
ことを特徴とする請求項９２に記載の端末デバイス。
【請求項９４】
前記基準キャリア位置が前記第１の上りリンクキャリアのキャリア位置であり、又は、
前記基準キャリア位置が前記複数の上りリンクキャリアのうちの非前記第１の上りリンクキャリアである他の上りリンクキャリアのキャリア位置であり、又は、
前記基準キャリア位置が前記端末デバイスの下りリンクキャリアのキャリア位置である
ことを特徴とする請求項９３に記載の端末デバイス。
【請求項９５】
前記構成情報が属する構成シグナリングは、さらに、少なくとも１つの第２の上りリンクキャリアに対してランダムアクセス手順を行うランダムアクセスリソース及び／又はランダムアクセスコードを示す
ことを特徴とする請求項９２〜９４のいずれか１項に記載の端末デバイス。
【請求項９６】
前記通信ユニットは、さらに、前記ネットワークデバイスにより送信された指示情報を受信するように構成され、前記指示情報が、ランダムアクセス時の上りリンクキャリアの選択に使用されるパラメータを示す
ことを特徴とする請求項９５に記載の端末デバイス。
【請求項９７】
前記パラメータが、端末デバイスが上りリンクキャリアに対応するＤＬ信号閾値を決定するために用いられ、ＤＬ信号測定結果とＤＬ信号閾値との関係に基づいて、対応する上りリンクキャリアを選択してランダムアクセス手順に使用する
ことを特徴とする請求項９６に記載の端末デバイス。
【請求項９８】
前記指示情報が、前記構成情報が属する構成シグナリングに搬送され、又は、
前記指示情報がブロードキャストシグナリング、ＲＭＳＩ、又はシステム情報を介して送信される
ことを特徴とする請求項９６又は９７に記載の端末デバイス。
【請求項９９】
前記ランダムアクセス手順が、競合フリーのランダムアクセス手順である
ことを特徴とする請求項８２〜９８のいずれか１項に記載の端末デバイス。
【請求項１００】
前記第１の情報が、タイミング調整のためのコマンドに搬送され、又は、タイミング調整のためのコマンドの伝送に搬送され、前記第１の情報は、前記第１の上りリンクキャリアに対してタイミング調整を行うように指示する
ことを特徴とする請求項８２〜８８のいずれか１項に記載の端末デバイス。
【請求項１０１】
前記第１の情報が、タイミング調整のためのコマンドに含まれるフィールドに搬送され、又は、
前記第１の情報が、前記タイミング調整のためのコマンドが搬送される物理層チャネルの処理情報で示す
ことを特徴とする請求項１００に記載の端末デバイス。
【請求項１０２】
前記第１の情報が、前記端末デバイスの電力調整情報に搬送され、又は、電力調整情報のための伝送に搬送され、前記第１の情報が、前記第１の上りリンクキャリアを電力調整するように指示する
ことを特徴とする請求項８２〜８８のいずれか１項に記載の端末デバイス。
【請求項１０３】
前記端末デバイスに使用されることができる複数の上りリンクキャリアが、複数の異なる周波数帯域にそれぞれ位置する
ことを特徴とする請求項８２〜１０２のいずれか１項に記載の端末デバイス。
【請求項１０４】
前記第１の上りリンクキャリアが位置する周波数帯域が、他の上りリンクキャリアの周波数帯域よりも低い
ことを特徴とする請求項１０３に記載の端末デバイス。
【請求項１０５】
処理ユニットと、通信ユニットと、を備える端末デバイスであって、
前記処理ユニットは、端末デバイスに使用されることができる複数の上りリンクキャリアに基づいて、電力ヘッドルームレポートを決定するように構成され、
前記通信ユニットは、前記ネットワークデバイスに前記電力ヘッドルームレポートを送信するように構成される
ことを特徴とする端末デバイス。
【請求項１０６】
前記電力ヘッドルームレポートは、前記端末デバイスが前記複数の上りリンクキャリアの各上りリンクキャリアに対してそれぞれ決定した電力ヘッドルームレポートを含む
ことを特徴とする請求項１０５に記載の端末デバイス。
【請求項１０７】
前記電力ヘッドルームレポートは、前記端末デバイスが前記複数の上りリンクキャリアを全体として取得した電力ヘッドルームレポートを含む
ことを特徴とする請求項１０５又は１０６に記載の端末デバイス。
【請求項１０８】
前記端末デバイスに使用されることができる複数の上りリンクキャリアが、複数の異なる周波数帯域にそれぞれ位置する
ことを特徴とする請求項１０５〜１０７のいずれか１項に記載の端末デバイス。
【発明の詳細な説明】
【技術分野】
【０００１】
本願は、通信分野に関し、具体的に、無線通信方法、ネットワークデバイス及び端末デバイスに関する。
【背景技術】
【０００２】
ロングタームエボリューション( Ｌｏｎｇ  Ｔｅｒｍ  Ｅｖｏｌｕｔｉｏｎ、ＬＴＥ )システムでは、１つの固定された上りリンクキャリアと１つの固定された下りリンクキャリアとを有し、端末デバイスとネットワークとの間で、この固定された上りリンクキャリアおよび下りリンクキャリアを用いてそれぞれ上り下り通信を行うことができる。
【０００３】
未来の通信システムでは、通信性能に対する要求が高くなる。
【０００４】
したがって、周波数帯域の構成や使用処理の観点から通信性能の向上が課題となっている。
【発明の概要】
【０００５】
本願の実施例は、周波数帯域の構成や使用処理の観点から通信性能を向上させることができる無線通信方法及びデバイスを提供する。
【０００６】
第１の形態は、無線通信方法を提供し、
ネットワークデバイスが第１の上りリンクキャリアを決定することと、
前記ネットワークデバイスが前記端末デバイスに第１の情報を送信することとを含み、
前記第１の上りリンクキャリアが、端末デバイスのために使用されることができる複数の上りリンクキャリアのうちの上りリンクキャリアであり、
前記第１の情報が、前記端末デバイスが前記第１の上りリンクキャリアを利用し又は利用することができ、上り伝送を行い、又は、前記第１の上りリンクキャリアを処理するように指示する。
【０００７】
したがって、本願の実施例では、端末デバイスの上り送信に使用可能な複数の上りキャリアが存在し、ネットワークデバイスは、複数の上りキャリアのうちの上りキャリアの使用または処理を指示することができ、端末デバイスの上り送信の柔軟性を高め、通信性能を向上させることができる。
【０００８】
第１の形態と結合し、第１の形態の実現可能な方式において、前記ネットワークデバイスが前記端末デバイスに第１の情報を送信することは、
前記ネットワークデバイスがブロードキャストシグナリング、余剰最小システム情報ＲＭＳＩ、又はシステム情報を介して複数の前記端末デバイスに前記第１の情報を送信することを含む。
【０００９】
第１の形態又は上記の実現可能な方式において、第１の形態の他の実現可能な方式において、前記ネットワークデバイスが前記端末デバイスに第１の情報を送信することは、
前記ネットワークデバイスが上位レイヤシグナリングを介して単一の前記端末デバイスに前記第１の情報を送信することを含む。
【００１０】
第１の形態又は上記の実現可能な方式において、第１の形態の他の実現可能な方式において、前記第１の情報が、前記端末デバイスが前記第１の上りリンクキャリアを利用して上り伝送を行うように指示し、
前記方法は、さらに、
前記ネットワークデバイスが前記端末デバイスに第２の情報を送信することを含み、前記第２の情報が、前記端末デバイスに対して前記第１の上りリンクキャリアを活性化し又は構成するために用いられる。
【００１１】
第１の形態又は上記の実現可能な方式において、第１の形態の他の実現可能な方式において、前記第１の情報が下り制御情報ＤＣＩに搬送される。
【００１２】
第１の形態又は上記の実現可能な方式において、第１の形態の他の実現可能な方式において、前記方法は、さらに、
前記ネットワークデバイスが、端末デバイスに使用されることができる複数の上りリンクキャリアから、第２の上りリンクキャリアを決定することと、
前記ネットワークデバイスが前記端末デバイスに第３の情報を送信することとを含み、前記第３の情報が、前記端末デバイスが前記第２の上りリンクキャリアを利用して上り伝送を行うように指示し、ここで、
前記第１の情報の送信と前記第３の情報の送信が、前記第１の上りリンクキャリアが活性化又は構成された後の前記端末デバイスのスケジューリングのうちの異なるスケジューリング過程にそれぞれ行う。
【００１３】
第１の形態又は上記の実現可能な方式において、第１の形態の他の実現可能な方式において、前記第１の情報が、前記端末デバイスが前記第１の上りリンクキャリアを利用して上り伝送を行うように指示し、
前記方法は、さらに、
前記ネットワークデバイスが第３の上りリンクキャリアを決定することと、前記
前記ネットワークデバイスが前記端末デバイスに第４の情報を送信することとを含み、第３の上りリンクキャリアが、前記複数の上りリンクキャリアのうちの非前記第１の上りリンクキャリアのリンクキャリアであり、前記第４の情報が前記端末デバイスが前記第３の上りリンクキャリアを利用して上り伝送を行うように指示して、前記端末デバイスが前記第１の上りリンクキャリアの利用を停止して前記第３の上りリンクキャリアを利用して上り伝送を行う。
【００１４】
第１の形態又は上記の実現可能な方式において、第１の形態の他の実現可能な方式において、前記上り伝送が物理上り制御チャネルＰＵＣＣＨ伝送又は物理上り共有チャネルＰＵＳＣＨ伝送である。
【００１５】
第１の形態又は上記の実現可能な方式において、第１の形態の他の実現可能な方式において、前記第１の情報がサウンディング基準信号ＳＲＳに関連する情報に搬送され、
前記第１の情報が、前記端末デバイスが前記第１の上りリンクキャリアを利用してＳＲＳの伝送を行うように指示する。
【００１６】
第１の形態又は上記の実現可能な方式において、第１の形態の他の実現可能な方式において、前記第１の情報が、ＳＲＳを半静的に構成するＳＲＳ構成情報に搬送され、又は、
前記第１の情報が、ＳＲＳを動的にトリガーするトリガーメッセージに搬送される。
【００１７】
第１の形態又は上記の実現可能な方式において、第１の形態の他の実現可能な方式において、前記第１の情報が、ランダムアクセス手順のための構成情報に搬送され、
前記第１の情報が、前記端末デバイスが前記第１の上りリンクキャリアを利用し又は利用することができ、ランダムアクセス手順を行うように指示する。
【００１８】
第１の形態又は上記の実現可能な方式において、第１の形態の他の実現可能な方式において、前記構成情報が、基準キャリア位置に対する前記ランダムアクセスリソースの周波数領域の位置を示す。
【００１９】
第１の形態又は上記の実現可能な方式において、第１の形態の他の実現可能な方式において、前記基準キャリア位置が前記第１の上りリンクキャリアのキャリア位置であり、又は、
前記基準キャリア位置が前記複数の上りリンクキャリアのうちの非前記第１の上りリンクキャリアである他の上りリンクキャリアのキャリア位置であり、又は、
前記基準キャリア位置が前記端末デバイスの下りリンクキャリアのキャリア位置である。
【００２０】
第１の形態又は上記の実現可能な方式において、第１の形態の他の実現可能な方式において、前記構成情報が属する構成シグナリングは、さらに、少なくとも１つの第２の上りリンクキャリアに対してランダムアクセス手順を行うランダムアクセスリソース及び／又はランダムアクセスコードを示す。
【００２１】
第１の形態又は上記の実現可能な方式において、第１の形態の他の実現可能な方式において、前記方法は、さらに、
前記ネットワークデバイスが前記端末デバイスに指示情報を送信することを含み、前記指示情報が、ランダムアクセス時の上りリンクキャリアの選択に使用されるパラメータを示す。
【００２２】
第１の形態又は上記の実現可能な方式において、第１の形態の他の実現可能な方式において、前記パラメータは、端末デバイスが上りリンクキャリアに対応する下りリンクＤＬ信号閾値を確定し、前記端末デバイスがＤＬ信号測定結果とＤＬ信号閾値関係に基づいて、対応する上りリンクキャリアを選択してランダムアクセス手順に使用するために用いられる。
【００２３】
第１の形態又は上記の実現可能な方式において、第１の形態の他の実現可能な方式において、前記指示情報が、前記構成情報が属する構成シグナリングに搬送され、又は、
前記指示情報がブロードキャストシグナリング、ＲＭＳＩ、又はシステム情報を介して送信される。
【００２４】
第１の形態又は上記の実現可能な方式において、第１の形態の他の実現可能な方式において、前記ランダムアクセス手順が、競合フリーのランダムアクセス手順である。
【００２５】
第１の形態又は上記の実現可能な方式において、第１の形態の他の実現可能な方式において、前記第１の情報が、タイミング調整のためのコマンドに搬送され、又は、タイミング調整のためのコマンドの伝送に搬送され、前記第１の情報は、前記第１の上りリンクキャリアに対してタイミング調整を行うように指示する。
【００２６】
第１の形態又は上記の実現可能な方式において、第１の形態の他の実現可能な方式において、前記第１の情報が、タイミング調整のためのコマンドに含まれるフィールドに搬送され、又は、
前記第１の情報が、前記タイミング調整のためのコマンドが搬送される物理層チャネルの処理情報で示す。
【００２７】
第１の形態又は上記の実現可能な方式において、第１の形態の他の実現可能な方式において、前記第１の情報が、前記端末デバイスの電力調整情報に搬送され、又は、電力調整情報のための伝送に搬送され、前記第１の情報が、前記第１の上りリンクキャリアを電力調整するように指示する。
【００２８】
第１の形態又は上記の実現可能な方式において、第１の形態の他の実現可能な方式において、前記端末デバイスに使用されることができる複数の上りリンクキャリアが、複数の異なる周波数帯域にそれぞれ位置する。
【００２９】
第１の形態又は上記の実現可能な方式において、第１の形態の他の実現可能な方式において、前記第１の上りリンクキャリアが位置する周波数帯域が、他の上りリンクキャリアの周波数帯域よりも低い。
【００３０】
第２の形態は、無線通信方法を提供し、
ネットワークデバイスが、端末デバイスが端末デバイスのための複数の上りリンクキャリアに対して報告した電力ヘッドルームレポートを受信することを含む。
【００３１】
したがって、本願の実施例では、端末デバイスが、端末デバイスで利用可能な複数の上りリンクキャリアに基づいて、電力ヘッドルームレポートを決定し、ネットワークデバイスにこの電力ヘッドルームレポートを送信することで、ネットワークデバイスは、この電力ヘッドルームレポートを用いて、端末デバイスで利用可能な複数の上りリンクキャリアを端末デバイスにスケジューリングすることができる。
【００３２】
第２の形態と結合し、第２の形態の実現可能な方式において、前記電力ヘッドルームレポートは、前記端末デバイスが前記複数の上りリンクキャリアの各上りリンクキャリアに対してそれぞれ報告した電力ヘッドルームレポートを含む。
【００３３】
第２の形態又は上記の実現可能な方式と結合し、第２の形態の他の実現可能な方式において、前記電力ヘッドルームレポートは、前記端末デバイスが前記複数の上りリンクキャリアを全体として報告した電力ヘッドルームレポートを含む。
【００３４】
第２の形態又は上記の実現可能な方式と結合し、第２の形態の他の実現可能な方式において、前記端末デバイスに使用されることができる複数の上りリンクキャリアが、複数の異なる周波数帯域にそれぞれ位置する。
【００３５】
第３の形態は、無線通信方法を提供し、
端末デバイスがネットワークデバイスからの第１の情報を受信し、又は、前記第１の上りリンクキャリアを処理することと、
前記第１の情報に基づいて、前記第１の上りリンクキャリアを利用して又は選択して利用して上り伝送を行い、又は、前記第１の上りリンクキャリアを処理することとを含み、
前記第１の情報が、前記端末デバイスが第１の上りリンクキャリアを利用して又は利用することができ、上り伝送を行うように指示し、前記第１の上りリンクキャリアが、端末デバイスのために使用されることができる複数の上りリンクキャリアのうちの上りリンクキャリアである。
【００３６】
第３の形態と結合し、第３の形態の実現可能な方式において、前記端末デバイスがネットワークデバイスからの第１の情報を受信することは、
前記端末デバイスが、前記ネットワークデバイスがブロードキャストシグナリング、余剰最小システム情報ＲＭＳＩ、又はシステム情報を介して送信した前記第１の情報を受信することを含む。
【００３７】
第３の形態又は上記の実現可能な方式と結合し、第３の形態の他の実現可能な方式において、前記端末デバイスがネットワークデバイスからの第１の情報を受信することは、
前記端末デバイスが、前記ネットワークデバイスが上位レイヤシグナリングを介して送信した前記第１の情報を受信することを含む。
【００３８】
第３の形態又は上記の実現可能な方式と結合し、第３の形態の他の実現可能な方式において、前記第１の情報が、前記端末デバイスが前記第１の上りリンクキャリアを利用して上り伝送を行うように指示し、
前記方法は、さらに、
前記端末デバイスが、前記ネットワークデバイスからの第２の情報を受信することと、
前記端末デバイスが前記第１の上りリンクキャリアを活性化し又は構成することとを含み、
前記第２の情報が、前記端末デバイスに対して前記第１の上りリンクキャリアを活性化し又は構成するために用いられる。
【００３９】
第３の形態又は上記の実現可能な方式と結合し、第３の形態の他の実現可能な方式において、前記第１の情報が下り制御情報ＤＣＩに搬送される。
【００４０】
第３の形態又は上記の実現可能な方式と結合し、第３の形態の他の実現可能な方式において、前記方法は、さらに、
前記端末デバイスが前記ネットワークデバイスにより送信された第３の情報を受信することと、
前記第３の情報に基づいて、前記ネットワークデバイスが前記第２の上りリンクキャリアを利用して上り伝送を行うこととを含み、
前記第３の情報が、前記端末デバイスが前記第２の上りリンクキャリアを利用して上り伝送を行うように指示し、前記第２の上りリンクキャリアが前記複数の上りリンクキャリアのうちの非前記第１の上りリンクキャリアのリンクキャリアであり、
ここで、前記第１の情報の伝送と前記第３の情報の伝送が、前記第１の上りリンクキャリアが活性化され又は構成された後の前記端末デバイスのスケジューリングのうちの異なるスケジューリング過程にそれぞれ行う。
【００４１】
第３の形態又は上記の実現可能な方式と結合し、第３の形態の他の実現可能な方式において、前記第１の情報が、前記端末デバイスが前記第１の上りリンクキャリアを利用して上り伝送を行うように指示し、
前記方法は、さらに、
前記端末デバイスが前記ネットワークデバイスにより送信された第４の情報を受信することと、
前記端末デバイスが前記第１の上りリンクキャリアの利用を停止して前記第３の上りリンクキャリアを利用して上り伝送を行うこととを含み、
前記第４の情報が、前記端末デバイスが前記第３の上りリンクキャリアを利用して上り伝送を行うように指示し、前記第３の上りリンクキャリアが、前記複数の上りリンクキャリアのうちの非前記第１の上りリンクキャリアのリンクキャリアである。
【００４２】
第３の形態又は上記の実現可能な方式と結合し、第３の形態の他の実現可能な方式において、前記上り伝送が、ＰＵＣＣＨ伝送又はＰＵＳＣＨ伝送である。
【００４３】
第３の形態又は上記の実現可能な方式と結合し、第３の形態の他の実現可能な方式において、前記第１の情報がサウンディング基準信号ＳＲＳに関連する情報に搬送され、
前記第１の情報が、前記端末デバイスが前記第１の上りリンクキャリアを利用してＳＲＳの伝送を行うように指示する。
【００４４】
第３の形態又は上記の実現可能な方式と結合し、第３の形態の他の実現可能な方式において、前記第１の情報が、ＳＲＳを半静的に構成するＳＲＳ構成情報に搬送され、又は、
前記第１の情報が、ＳＲＳを動的にトリガーするトリガーメッセージに搬送される。
【００４５】
第３の形態又は上記の実現可能な方式と結合し、第３の形態の他の実現可能な方式において、前記第１の情報が、ランダムアクセス手順のための構成情報に搬送され、
前記第１の情報が、前記端末デバイスが前記第１の上りリンクキャリアを利用し又は利用することができ、ランダムアクセス手順を行うように指示する。
【００４６】
第３の形態又は上記の実現可能な方式と結合し、第３の形態の他の実現可能な方式において、前記構成情報が、基準キャリア位置に対する前記ランダムアクセスリソースの周波数領域の位置を示す。
【００４７】
第３の形態又は上記の実現可能な方式と結合し、第３の形態の他の実現可能な方式において、前記基準キャリア位置が前記第１の上りリンクキャリアのキャリア位置であり、又は、
前記基準キャリア位置が前記複数の上りリンクキャリアのうちの非前記第１の上りリンクキャリアである他の上りリンクキャリアのキャリア位置であり、又は、
前記基準キャリア位置が前記端末デバイスの下りリンクキャリアのキャリア位置である。
【００４８】
第３の形態又は上記の実現可能な方式と結合し、第３の形態の他の実現可能な方式において、前記構成情報が属する構成シグナリングは、さらに、少なくとも１つの第２の上りリンクキャリアに対してランダムアクセス手順を行うランダムアクセスリソース及び／又はランダムアクセスコードを示す。
【００４９】
第３の形態又は上記の実現可能な方式と結合し、第３の形態の他の実現可能な方式において、前記方法は、さらに、
前記端末デバイスが前記ネットワークデバイスにより送信された指示情報を受信することを含み、前記指示情報が、ランダムアクセス時の上りリンクキャリアの選択に使用されるパラメータを示す。
【００５０】
第３の形態又は上記の実現可能な方式と結合し、第３の形態の他の実現可能な方式において、前記パラメータが、端末デバイスが上りリンクキャリアに対応するＤＬ信号閾値を決定するために用いられ、ここで、ＤＬ信号測定結果とＤＬ信号閾値との関係に基づいて、対応する上りリンクキャリアを選択してランダムアクセス手順に使用する。
【００５１】
第３の形態又は上記の実現可能な方式と結合し、第３の形態の他の実現可能な方式において、前記指示情報が、前記構成情報が属する構成シグナリングに搬送され、又は、
前記指示情報がブロードキャストシグナリング、ＲＭＳＩ、又はシステム情報を介して送信される。
【００５２】
第３の形態又は上記の実現可能な方式と結合し、第３の形態の他の実現可能な方式において、前記ランダムアクセス手順が、競合フリーのランダムアクセス手順である。
【００５３】
第３の形態又は上記の実現可能な方式と結合し、第３の形態の他の実現可能な方式において、前記第１の情報が、タイミング調整のためのコマンドに搬送され、又は、タイミング調整のためのコマンドの伝送に搬送され、前記第１の情報は、前記第１の上りリンクキャリアに対してタイミング調整を行うように指示する。
【００５４】
第３の形態又は上記の実現可能な方式と結合し、第３の形態の他の実現可能な方式において、前記第１の情報が、タイミング調整のためのコマンドに含まれるフィールドに搬送され、又は、
前記第１の情報が、前記タイミング調整のためのコマンドが搬送される物理層チャネルの処理情報で示す。
【００５５】
第３の形態又は上記の実現可能な方式と結合し、第３の形態の他の実現可能な方式において、前記第１の情報が、前記端末デバイスの電力調整情報に搬送され、又は、電力調整情報のための伝送に搬送され、前記第１の情報が、前記第１の上りリンクキャリアを電力調整するように指示する。
【００５６】
第３の形態又は上記の実現可能な方式と結合し、第３の形態の他の実現可能な方式において、前記端末デバイスに使用されることができる複数の上りリンクキャリアが、複数の異なる周波数帯域にそれぞれ位置する。
【００５７】
第３の形態又は上記の実現可能な方式と結合し、第３の形態の他の実現可能な方式において、前記第１の上りリンクキャリアが位置する周波数帯域が、他の上りリンクキャリアの周波数帯域よりも低い。
【００５８】
第４の形態は、無線通信方法を提供し、
端末デバイスが、端末デバイスに使用されることができる複数の上りリンクキャリアに基づいて、電力ヘッドルームレポートを決定することと、
前記端末デバイスが前記ネットワークデバイスに前記電力ヘッドルームレポートを送信することとを含む。
【００５９】
第４の形態と結合し、第４の形態の実現可能な方式において、前記電力ヘッドルームレポートは、前記端末デバイスが前記複数の上りリンクキャリアの各上りリンクキャリアに対してそれぞれ別に確定した電力ヘッドルームレポートを含む。
【００６０】
第４の形態又は上記の実現可能な方式と結合し、第４の形態の他の実現可能な方式において、前記電力ヘッドルームレポートは、前記端末デバイスが前記複数の上りリンクキャリアを全体として取得した電力ヘッドルームレポートを含む。
【００６１】
第４の形態又は上記の実現可能な方式と結合し、第４の形態の他の実現可能な方式において、前記端末デバイスに使用されることができる複数の上りリンクキャリアが、複数の異なる周波数帯域にそれぞれ位置する。
【００６２】
第５の態様は、上述の第１の態様もしくは第１の態様の任意の可能な実装、または第２の態様もしくは第２の態様の任意の可能な実装における方法を実行するためのネットワークデバイスを提供する。具体的には、ネットワークデバイスは、上記の第１の態様または第１の態様の任意の可能な実装、あるいは第２の態様または第２の態様の任意の可能な実装における方法を実行するための機能モジュールを含む。
【００６３】
第６の態様は、上記の第３の態様もしくは第３の態様の任意の可能な実装、または第４の態様もしくは第４の態様の任意の可能な実装における方法を実行するための端末デバイスを提供する。具体的には、端末デバイスは、上記の第３の態様または第３の態様の任意の可能な実装、または第４の態様の任意の可能な実装における方法を実行するための機能モジュールを含む。
【００６４】
第７の態様は、プロセッサと、メモリと、送受信機とを含むネットワークデバイスを提供する。プロセッサ、メモリ、および送受信機は、内部接続経路を介して互いに通信し、制御信号および/またはデータ信号を通信し、ネットワークデバイスに、第１の態様または第１の態様の任意の可能な実装、第２の態様または第２の態様の任意の可能な実装における方法を実行させる。 
第８の態様は、プロセッサと、メモリと、送受信機とを含む端末デバイスを提供する。プロセッサ、メモリ、および送受信機は、内部接続経路を介して互いに通信し、制御信号および/またはデータ信号を通信し、ネットワークデバイスに、第３の態様または第３の態様の任意の可能な実装、第４の態様または第４の態様の任意の可能な実装における方法を実行させる。
【００６５】
第９の態様は、上述の方法のいずれかまたは可能な実装のいずれかを実行するための命令を含むコンピュータプログラムを記憶するためのコンピュータ可読媒体を提供する。
【００６６】
第１０の態様は、命令を含むコンピュータプログラム製品を提供し、コンピュータプログラム製品は、コンピュータ上で実行されると、コンピュータに、上述の方法のいずれかまたは可能な実装のいずれかを実行させる。
【図面の簡単な説明】
【００６７】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例における上りリンクキャリアのリソースの分割の形態の模式図である。
【図３】本願の実施例における上りリンクキャリアのリソースの分割の形態の模式図である。
【図４】本願の実施例における上りリンクキャリアのリソースの分割の形態の模式図である。
【図５】本願の実施例における上りリンクキャリアのリソースの分割の形態の模式図である。
【図６】本願の実施例における無線通信方法のフローチャートである。
【図７】本願の実施例における無線通信方法のフローチャートである。
【図８】本願の実施例におけるネットワークデバイスのブロック図である。
【図９】本願の実施例における端末デバイスのブロック図である。
【図１０】本願の実施例におけるシステムチップのブロック図である。
【図１１】本願の実施例における通信デバイスのブロック図である。
【発明を実施するための形態】
【００６８】
以下、本発明の実施例について図面を参照して説明するが、本発明は、この実施例に限定されるものではなく、本発明の技術的思想に基づく各種の変形が可能である。本願における実施例に基づいて、当業者が創造的な労働をすることなく得られる全ての他の実施形態は、本願の保護範囲に属する。
【００６９】
本願の実施例の技術は、様々な通信システムに適用可能であり、例えば、Ｇｌｏｂａｌ Ｓｙｓｔｅｍ ｏｆ Ｍｏｂｉｌｅ Ｃｏｍｍｕｎｉｃａｔｉｏｎ ( ＧＳＭ )システム、Ｃｏｄｅ Ｄｉｖｉｓｉｏｎ Ｍｕｌｔｉｐｌｅ Ａｃｃｅｓｓ ( ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ ( ＷＣＤＭＡ )システム、Ｇｅｎｅｒａｌ Ｐａｃｋｅｔ Ｒａｄｉｏ Ｓｅｒｖｉｃｅ ( ＧＰＲＳ )システム、Ｌｏｎｇ Ｔｅｒｍ Ｅｖｏｌｕｔｉｏｎ ( ＬＴＥ )システム、Ｆｒｅｑｕｅｎｃｙ Ｄｉｖｉｓｉｏｎ Ｄｕｐｌｅｘ ( ＦＤＤ )システム、Ｔｉｍｅ  Ｄｉｖｉｓｉｏｎ  Ｄｕｐｌｅｘ ( ＴＤＤ )システム、Ｕｎｉｖｅｒｓａｌ Ｍｏｂｉｌｅ Ｔｅｌｅｃｏｍｍｕｎｉｃａｔｉｏｎ Ｓｙｓｔｅｍ ( ＵＭＴＳ )システム、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ ( ＷｉＭＡＸ )システム、又は将来の５Ｇシステム(Ｎｅｗ Ｒａｄｉｏ、ＮＲ )システム等に応用されることができる。
【００７０】
なお、本明細書において、「システム」および「ネットワーク」という用語は、しばしば、本明細書において交換可能に使用される。ここで、「及び/又は」とは、単に関連のある対象を記述するための関連関係であり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが「または」の関係であることを一般的に示す。
【００７１】
図１は、本願の実施例が適用される無線通信システム１００を示す。
【００７２】
なお、図１は、１つのネットワークデバイス及び２つの端末デバイスを例示的に示しているが、この無線通信システム１００は、複数のネットワークデバイスを含んでもよく、各ネットワークデバイスのカバレージ内に他の数の端末デバイスを含んでもよく、本願の実施例は、これに限定されない。
【００７３】
任意選択で、この無線通信システム１００は、ネットワークコントローラ、モビリティ管理エンティティなどの他のネットワークエンティティをさらに含むことができ、本願の実施例はこれに限定されない。
【００７４】
図１に示すように、無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に位置するＵＥなどの端末デバイスと通信し得る。任意選択で、このネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００７５】
この無線通信システム１００は、ネットワークデバイス１１０のカバレージ内に位置する少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００７６】
任意選択で、端末デバイス１２０間の端末直接接続( Ｄｅｖｉｃｅ ｔｏ Ｄｅｖｉｃｅ、Ｄ２Ｄ )通信が行われてもよい。 
任意選択で、５Ｇシステム又はネットワークは、ＮＲ( Ｎｅｗ Ｒａｄｉｏ)システム又はネットワークと呼ばれることもある。
【００７７】
高周波数帯域は、５Ｇ(ＮＲ)ネットワークを構成する重要な候補帯域である。周波数帯域が高いため、カバレッジ範囲は(低周波数ＬＴＥと比較して)制限される。下りリンク(Ｄｏｗｎｌｉｎｋ、ＤＬ)に関して、基地局の送信電力が大きいため、大規模マルチド出力マルチド入力( Ｍｕｌｔｉｐｌｅ Ｉｎｐｕｔ Ｍｕｌｔｉｐｌｅ Ｏｕｔｐｕｔ、ＭＩＭＯ ) ( ｈｙｂｒｉｄ Ｂｅａｍｆｏｒｍｉｎｇ )などによりＤＬカバレッジが改善される。端末デバイスの送信電力が制限されるため、ＵＬカバレッジが制限される。
【００７８】
したがって、ＮＲ伝送のために、低周波数で１つの上りリンクキャリア( Ｕｐｌｉｎｋ、ＵＬ )が構成され得、このＵＬキャリアは、補足的上りリンク( Ｓｕｐｐｌｅｍｅｎｔａｒｙ Ｕｐｌｉｎｋ、ＳＵＬ )キャリアと呼ばれ得る。このようにＮＲは少なくとも２つのＵＬキャリアを有し、一方はＳＵＬキャリアであり、他方は高周波ＵＬキャリアである( ＮＲ専用のＵＬ(ｄｅｄｉｃａｔｅｄ ＵＬ)と呼ばれ得る)。
【００７９】
例えば、図２及び図３に示すように、ＮＲシステムは、周波数帯ｆ０における高周波数のＵＬキャリアと、周波数帯ｆ１における低周波数のＵＬキャリアとを含んでもよい。
【００８０】
ここで、図２に示すように、周波数帯ｆ０における高周波ＵＬキャリアと周波数帯ｆ０における高周波ＤＬキャリアとは周波数分割多重( Ｆｒｅｑｕｅｎｃｙ Ｄｉｖｉｓｉｏｎ Ｄｕｐｌｅｘｉｎｇ、ＦＤＤ )され、或いは、図３に示すように、周波数帯ｆ０における高周波ＵＬキャリアと周波数帯ｆ１における高周波ＤＬキャリアとは時間分割多重( Ｔｉｍｅ Ｄｉｖｉｓｉｏｎ Ｄｕｐｌｅｘｉｎｇ、ＴＤＤ )される。
【００８１】
任意選択で、ＳＵＬキャリアはまた、ＬＴＥシステムとスペクトルリソースを共有することができ、すなわち、ｆ１において、一部のリソースのみがＮＲに使用され得、他のリソースはＬＴＥのために使用され得る。リソース共有は、周波数分割多重( Ｆｒｅｑｕｅｎｃｙ Ｄｉｖｉｓｉｏｎ Ｍｕｌｔｉｐｌｅｘｉｎｇ、ＦＤＭ )又は時分割多重( Ｔｉｍｅ Ｄｉｖｉｓｉｏｎ Ｍｕｌｔｉｐｌｅｘｉｎｇ、ＴＤＭ )方式(例えば、図４及び５に示されるＴＤＭの方式)であってよい。
【００８２】
なお、上記では、ＮＲシステムにおけるＵＬキャリアの数が２である場合を例に説明したが、本願の実施例はこれに限定されず、例えば、ＮＲシステムにおけるＵＬキャリアの数は３以上であってもよい。
【００８３】
なお、本願の実施例において、ＮＲシステムが含む複数のＵＬキャリアの各々が、端末デバイスによる上りリンク伝送のために使用され得るが、構成時に、端末デバイスがＵＬキャリアの一部のみを使用して上りリンク伝送を行うように構成され得る。
【００８４】
任意選択で、ネットワークデバイスにより構成された端末デバイスが採用するＵＬキャリアの数、および特定のＵＬキャリアのうちのどれが動的に変化し得る。
【００８５】
そして、本願の実施形態は、ネットワークが複数のＵＬキャリアをサポートするシーンにおいてどのように無線通信を行うかに対処する以下の無線通信方法を提供する。
【００８６】
図６は、本発明の実施例による無線通信方法２００の概略的なフローチャートである。この方法２００は、任意選択で、図１に示されるシステムに適用され得るが、これに限定されない。方法２００は、以下の少なくとも一部を含む。
【００８７】
２１０において、ネットワークデバイスが第１の上りリンクキャリアを決定し、当該第１の上りリンクキャリアは、端末デバイスに使用されることができる複数の上りリンクキャリアのうちの上りリンクキャリアである。
【００８８】
任意選択で、端末デバイスに利用可能な複数の上りリンクキャリアとは、端末デバイスの上りリンク伝送のために複数の上りリンクキャリアが選択または設定され得ることを意味するが、端末デバイスがこの複数の上りリンクキャリアを使用して上りリンク伝送を行うことを必ずしも必要としない。
【００８９】
任意選択で、当該端末デバイスに使用されることができる複数の上りリンクキャリアは、異なる複数の周波数帯域にそれぞれ位置する。
【００９０】
任意選択で、複数の上りリンクキャリアのうちの任意の２つの上りリンクキャリアは、周波数領域において部分的に重複するか、または全く重複しないことがある
任意選択で、この第１の上りリンクキャリアは、他の上りリンクキャリアよりも低い周波数帯域に位置する。たとえば、この第１の上りリンクキャリアは、図２〜図５に示されるＳＵＬキャリアであり得る。
【００９１】
本願の実施例における上りリンクキャリアは、上りキャリアとも呼ばれ得る。 
２２０において、当該ネットワークデバイスが当該端末デバイスに第１の情報を送信し、当該第１の情報は、当該端末デバイスが当該第１の上りリンクキャリアを利用し又は利用することができ、上り伝送を行い、又は、当該第１の上りリンクキャリアを処理するように指示する。
【００９２】
任意選択で、第１の情報が当該端末デバイスが当該第１の上りリンクキャリアを利用して上り伝送を行うことを指示することはは、端末デバイスがある上り伝送（物理上り共有チャネル（Ｐｈｙｓｉｃａｌ Ｕｐｌｉｎｋ Ｓｈａｒｅｄ Ｃｈａｎｎｅｌ、ＰＵＳＣＨ）又はサウンディング基準信号（Ｓｏｕｎｄｉｎｇ Ｒｅｆｅｒｅｎｃｅ Ｓｉｇｎａｌ、ＳＲＳ）的伝送）において当該第１の上りリンクキャリアを直接使用することであっても良い。
【００９３】
任意選択で、第１の情報が、端末デバイスが第１の上りリンクキャリアを使用して上りリンク伝送を行うことができることを示すことは、端末デバイスが、いくつかの上りリンク伝送(たとえば、ランダムアクセス手順)において第１の上りリンクキャリアを使用することを選択することができ、もちろん、第１の上りリンクキャリアを使用しないことも選択し得ることを意味する。
【００９４】
任意選択で、第１の情報が当該端末デバイスが当該第１の上りリンクキャリアを処理することを指示することは、例えば、第１の上りリンクキャリアのタイミング調整または送信電力の調整を含み得る。
【００９５】
任意選択で、当該ネットワークデバイスがブロードキャストシグナリング、又は余剰最小システム情報（Ｒｅｍａｉｎｉｎｇ Ｍｉｎｉｍｕｍ Ｓｙｓｔｅｍ Ｉｎｆｏｒｍａｔｉｏｎ、ＲＭＳＩ）、又はシステム情報を介して複数の当該端末デバイスに当該第１の情報を送信する。
【００９６】
任意選択で、当該ネットワークデバイスが上位レイヤシグナリングを介して単一の当該端末デバイスに当該第１の情報を送信する。
【００９７】
例えば、この第１の情報は、無線リソース制御( Ｒａｄｉｏ Ｒｅｓｏｕｒｃｅ Ｃｏｎｔｒｏｌ、ＲＲＣ )コマンド又は媒体アクセス制御( Ｍｅｄｉａ Ａｃｃｅｓｓ Ｃｏｎｔｒｏｌ、ＭＡＣ )制御ユニット( Ｃｏｎｔｒｏｌ Ｅｌｅｍｅｎｔ、ＣＥ )によって単一の端末デバイスに送信され得る。
【００９８】
２３０において、当該端末デバイスが当該ネットワークデバイスにより送信された当該第１の情報を受信する。
【００９９】
２４０において、当該第１の情報に基づいて、端末デバイスが当該第１の上りリンクキャリアを利用し又は選択して利用し上り伝送を行い、又は、当該第１の上りリンクキャリアを処理する。
【０１００】
具体的に、第１の情報が端末デバイスが第１の上りリンクキャリアを利用して上り伝送を行うことを指示する場合、端末デバイスが第１の上りリンクキャリアを利用して上り伝送を行う。第１の情報が端末デバイスが第１の上りリンクキャリアを利用して上り伝送を行うことができることを指示する場合、端末デバイスが第１の上りリンクキャリアを選択して利用し又は選択しなく、上り伝送を行うことができる。第１の情報が端末デバイスが第１の上りリンクキャリアを処理することを指示する場合、端末デバイスが第１の上りリンクキャリアを処理する。
【０１０１】
したがって、本願の実施例では、端末デバイスの上り伝送に使用可能な複数の上りキャリアが存在し、ネットワークデバイスは、複数の上りリンクキャリアのうちの上りリンクキャリアの使用または処理を指示することができ、端末デバイスの上り伝送の柔軟性を高め、通信性能を向上させることができる。
【０１０２】
任意選択で、この第１の情報は、端末デバイスが第１の上りリンクキャリアを使用して上りリンク伝送を行うことを示し、前記ネットワークデバイスは、前記端末デバイスに前記第１の情報を送信する前に、前記端末デバイスに前記第１の上りリンクキャリアを活性化または構成するための第２の情報を前記端末デバイスに送信する。この第１の情報は、下り制御情報( Ｄｏｗｎｌｉｎｋ Ｃｏｎｔｒｏｌ Ｉｎｆｏｒｍａｔｉｏｎ、ＤＣＩ )に任意選択的に搬送される。
【０１０３】
任意選択で、ネットワークデバイスが端末デバイスのための第１の上りリンクキャリアを活性化または構成した後、ネットワークデバイスは、端末デバイスのために利用可能な複数の上りリンクキャリアから第２の上りリンクキャリアを決定し、第３の情報を前記端末デバイスに送信し、この第３の情報は、前記端末デバイスが前記第２の上りリンクキャリアを用いて上りリンク伝送を行うことを指示し、ここで、この第１の情報の送信と前記第３の情報の送信は、それぞれ、この第１の上りリンクキャリアの活性化または構成後の前記端末デバイスをスケジューリングする異なるスケジューリング過程にある。任意選択で、第３の情報がＤＣＩに搬送される。上りリンク伝送は、任意選択でＰＵＳＣＨであり、または上りリンク伝送は、任意選択でＰＵＣＣＨである。
【０１０４】
すなわち、ネットワークデバイスは、第１の上りリンクキャリアを先に活性化または構成し、活性化または構成後、第１の上りリンクキャリアを動的にスケジューリングすることができ、端末デバイスは、第１の上りリンクキャリアをずっと用いて通信する必要がない。たとえば、ネットワークデバイスは、端末デバイスに対して、第２の上りリンクキャリアを選択し、第２の上りリンクキャリアをスケジューリングし得る。
【０１０５】
任意選択で、当該第１の情報が、当該端末デバイスが当該第１の上りリンクキャリアを利用して上り伝送を行うように指示し、当該ネットワークデバイスが第３の上りリンクキャリアを決定し、当該第３の上りリンクキャリアが、当該複数の上りリンクキャリアの非当該第１の上りリンクキャリアのリンクキャリアであり、当該ネットワークデバイスが当該端末デバイスに第４の情報を送信し、当該第４の情報が、当該端末デバイスが当該第３の上りリンクキャリアを利用して上り伝送を行うように指示し、これより、当該端末デバイスが当該第１の上りリンクキャリアの利用を停止して当該第３の上りリンクキャリアを利用して上り伝送を行う。当該第１の情報と第４の情報とは、任意選択で、半静的スケジューリングのための情報である。任意選択で、当該上り伝送がＰＵＳＣＨ、又は、当該上り伝送がＰＵＣＣＨである。
【０１０６】
具体的には、ネットワークデバイスは、端末デバイスに、ある上りリンクキャリアを用いた上りリンク伝送(ある特定の上りリンク伝送、例えばＰＵＳＣＨ )を指示することができ、端末デバイスは、ネットワークデバイスが上りリンクキャリアを変更する指示情報を受信するまで、その指示を受けた後、その上りリンクキャリアを用いた上りリンク伝送(ある特定の上りリンク伝送、例えばＰＵＳＣＨ )をずっと行う。
【０１０７】
任意選択で、この第１の情報は、サウンディング基準信号ＳＲＳに関連する情報に含まれ、この第１の情報は、この端末デバイスが第１の上りリンクキャリアを用いてＳＲＳを送信することを示す。したがって、端末装置は、第１の指示にしたがって、この第１の上りリンクキャリアを用いてＳＲＳの送信を行うことができる。
【０１０８】
一実現方式において、この第１の情報は、半静的にＳＲＳを構成するＳＲＳ構成情報に含まれる。
【０１０９】
他の実現方式において、当該第１の情報は、ＳＲＳを動的にトリガするトリガメッセージに搬送される。
【０１１０】
任意選択で、この第１の情報は、ランダムアクセス手順のための構成情報に搬送され、第１の情報は、端末デバイスが第１の上りリンクキャリアを用いて又はランダムアクセス手順を行うこと、または、行うことができることを示す。したがって、端末デバイスは、第１の上りリンクキャリア上でランダムアクセス手順を行うか否かを選択することができる。
【０１１１】
ここで、当該ランダムアクセス手順が、基準キャリア位置に対する当該ランダムアクセスリソースの周波数領域の位置を示す。
【０１１２】
任意選択で、当該基準キャリア位置が当該第１の上りリンクキャリアのキャリア位置であり、又は、
当該基準キャリア位置が、当該複数の上りリンクキャリアの非当該第１の上りリンクキャリアの他の上りリンクキャリアのキャリア位置であり、又は、
当該基準キャリア位置が、当該端末デバイスの下りリンクキャリアのキャリア位置である。
【０１１３】
任意選択で、当該構成情報が属する構成シグナリングは、さらに、少なくとも１つの第２の上りリンクキャリアをランダムアクセス手順を行うランダムアクセスリソース及び／又はランダムアクセスコードを示す。ここで、第１の上りリンクキャリアがランダムアクセス手順を行うランダムアクセスリソース及び／又はランダムアクセスコードが、第２の上りリンクキャリアがランダムアクセス手順を行うランダムアクセスリソース及び／又はランダムアクセスコードと同じであっても良い。本願の実施例におけるランダムアクセスコードが、ランダムアクセスプリアンブル（Ｐｒｅａｍｂｌｅ）と言われてもいい。
【０１１４】
すなわち、ネットワークデバイスは、複数の上りリンクに対してランダムアクセス手順を構成するランダムアクセスリソースおよび/またはアクセスコードを送信することができ、これにより、ランダムアクセスの上りリンクキャリアを選択し、選択された上りリンクキャリアに対応するランダムアクセスリソースおよび/またはアクセスコードを用いてランダムアクセスを行うことができる。
【０１１５】
任意選択で、端末デバイスは、特定のパラメータに従ってランダムアクセスの上りリンクキャリアを選択してもよい。
【０１１６】
たとえば、特定のパラメータは、端末デバイスが上りリンクキャリア対応ＤＬ信号閾値を取得するために使用され、これにより、端末デバイスが、下りリンクキャリア( ＤＬ )信号測定値とＤＬ信号閾値との関係に従ってランダムアクセス手順のために対応する上りリンクキャリアを選択する。
【０１１７】
例えば、ＤＬ信号閾値に対応する値はａを含み、ＤＬ信号の値がａ以上の場合には第１の上りリンクキャリアを選択してランダムアクセスを行い、ＤＬ信号の値がａ未満の場合には第２の上りリンクキャリアを選択してランダムアクセスを行う。
【０１１８】
任意選択で、ランダムアクセス時に上りリンクキャリアを選択するためのパラメータは、ネットワークデバイスが指示情報で端末デバイスに送信するものであってもよい。ここで、このパラメータは、上記ＤＬ信号しきい値を直接指示するものであってもよく、あるいは、間接的に当該ＤＬ信号しきい値を得るためのパラメータを与えるものであってもよい。
【０１１９】
ここで、該指示情報は、前記配置情報が属する構成シグナリングに搬送され、又は、この指示情報は、ブロードキャストシグナリング、ＲＭＳＩ、又はシステム情報を介して上記構成情報とが互いに独立して送信される。
【０１２０】
任意選択で、ランダムアクセス時に上りリンクキャリアを選択するためのパラメータは、端末デバイスに予め設定されていてもよい。
【０１２１】
任意選択で、本願の実施例に記載される当該ランダムアクセス手順は、競合フリー（ｃｏｎｔｅｎｔｉｏｎ−ｆｒｅｅ）のランダムアクセス手順である。
【０１２２】
任意選択で、当該第１の情報は、タイミング調整のためのコマンド（Ｔｉｍｉｎｇ Ａｄｖａｎｃｅ Ｃｏｍｍａｎｄ）に搬送され、又は、タイミング調整のためのコマンドの伝送に搬送され、当該第１の情報は、当該第１の上りリンクキャリアに対してタイミング調整を行うように指示する。
【０１２３】
具体的には、ネットワークデバイスがタイミング調整のためのコマンドを送信する際に、タイミング調整が必要な上りリンクキャリアの情報を搬送することができる。
【０１２４】
一実現方式において、当該第１の情報は、タイミング調整のためのコマンドに含まれるフィールドに搬送され、又は、
一実現方式において、当該第１の情報は、当該タイミング調整のためのコマンドが搬送される物理層チャネルの処理情報で示す。例えば、物理層伝送に使用されるスクランブルコードで示される。
【０１２５】
任意選択で、当該第１の情報が当該端末デバイスの電力調整情報に搬送され、又は、電力調整情報のための伝送に搬送され、当該第１の情報は、当該第１の上りリンクキャリアに対して電力調整を行うように指示する。
【０１２６】
具体的に、ネットワークデバイスが電力調整情報を送信する時に、端末デバイスが電力調整する必要がある上りリンクキャリアの情報を含む。
【０１２７】
図７は本願の実施例における無線通信方法３００のフローチャートである。当該方法３００が以下の内容を含む。
【０１２８】
３１０において、端末デバイスが、端末デバイスに使用されることができる複数の上りリンクキャリアに基づいて、電力ヘッドルームレポートを決定する。
【０１２９】
任意選択で、端末デバイスに利用可能な複数の上りリンクキャリアとは、端末デバイスの上りリンク伝送のために複数の上りリンクキャリアが選択または構成され得ることを意味するが、端末デバイスが複数の上りリンクキャリアを使用して上りリンク伝送を行うことを必ずしも必要としない。
【０１３０】
任意選択で、当該端末デバイスに使用されることができる複数の上りリンクキャリアは、異なる複数の周波数帯域にそれぞれ位置する。
【０１３１】
任意選択で、複数の上りリンクキャリアのうちの任意の２つの上りリンクキャリアは、周波数領域において部分的に重複するか、または全く重複しないことがある。
【０１３２】
本願の実施例的上りリンクキャリアが上りキャリアも言われる。
【０１３３】
３２０において、当該端末デバイスが当該ネットワークデバイスに当該電力ヘッドルームレポート（Ｐｏｗｅｒ Ｈｅａｄｒｏｏｍ Ｒｅｐｏｒｔ、ＰＨＲ）を送信する。
【０１３４】
任意選択で、当該電力ヘッドルームレポートは、当該端末デバイスが当該複数の上りリンクキャリアの各上りリンクキャリアに対してそれぞれ別の報告した電力ヘッドルームレポートを含む。
【０１３５】
このとき、端末デバイスは、各上りリンクキャリアで、各上りリンクキャリアのそれぞれの電力ヘッドルームレポートを報告してもよい。
【０１３６】
このとき、端末デバイスは、各上りリンクキャリアで、各上りリンクキャリアのそれぞれの電力ヘッドルームレポート報告してもよいし、ある上りリンクキャリアで、他の上りリンクキャリアの電力ヘッドルームレポートを報告してもよい。
【０１３７】
任意選択で、当該電力ヘッドルームレポートは、当該端末デバイスが当該複数の上りリンクキャリアを全体として報告した電力ヘッドルームレポートを含む。
【０１３８】
この時、端末デバイスは、各上りリンクキャリアで電力ヘッドルームレポートをそれぞれ報告し、又は、一部の上りリンクで電力ヘッドルームレポートを報告しても良い。
【０１３９】
３３０において、ネットワークデバイスが端末デバイスから報告した当該電力ヘッドルームレポートを受信する。そして、ネットワークデバイスが当該電力ヘッドルームレポートを処理する。
【０１４０】
例えば、端末デバイスが利用し又は利用可能な上りリンクキャリア、又は、少なくとも１つの上りリンクキャリアについて送信電力の調整を行うか否かを決定する。
【０１４１】
したがって、本願の実施例では、端末デバイスが、端末デバイスで利用可能な複数の上りリンクキャリアに基づいて、電力ヘッドルームレポートを決定し、ネットワークデバイスに当該電力ヘッドルームレポートを送信することで、ネットワークデバイスは、当該電力ヘッドルームレポートを用いて、端末デバイスで利用可能な複数の上りリンクキャリアを端末デバイスにスケジューリングすることができる。
【０１４２】
図８は本願の実施例におけるネットワークデバイス４００のブロック図である。図８に示すように、当該ネットワークデバイス４００は、処理ユニット４１０と通信ユニット４２０を含む。
【０１４３】
任意選択で、前記処理ユニット４１０は、第１の上りリンクキャリアを決定するように構成され、前記第１の上りリンクキャリアが、端末デバイスのために使用されることができる複数の上りリンクキャリアのうちの上りリンクキャリアであり、前記通信ユニット４２０は、前記端末デバイスに第１の情報を送信するように構成され、前記第１の情報が、前記端末デバイスが前記第１の上りリンクキャリアを利用し又は利用することができ、上り伝送を行い、又は、前記第１の上りリンクキャリアを処理するように指示する。
【０１４４】
任意選択で、前記通信ユニット４２０は、端末デバイスが端末デバイスに使用されることができる複数の上りリンクキャリアに対して報告された電力ヘッドルームレポートを受信するように構成され、前記処理ユニット４１０は、前記電力ヘッドルームレポートを処理するように構成される。
【０１４５】
なお、ネットワークデバイス４００は、上述した方法の実施形態においてネットワークデバイスにより実行される対応する動作を実行してもよく、簡潔性のためにここでは説明を省略する。
【０１４６】
図９は本願の実施例における端末デバイス５００のブロック図である。当該端末デバイス５００は、通信ユニット５１０及び処理ユニット５２０を含む。
【０１４７】
任意選択で、前記通信ユニット５１０は、ネットワークデバイスにより送信された第１の情報を受信し、前記第１の情報が、前記端末デバイスが第１の上りリンクキャリアを利用して又は利用することができ、上り伝送を行うように指示し、又は、前記第１の上りリンクキャリアを処理するように構成され、前記第１の上りリンクキャリアが、端末デバイスのために使用されることができる複数の上りリンクキャリアのうちの上りリンクキャリアであり、前記処理ユニット５２０は、前記第１の情報に基づいて、前記第１の上りリンクキャリアを利用して又は選択して利用して上り伝送を行い、又は、前記第１の上りリンクキャリアを処理するように構成される。
【０１４８】
任意選択で、前記処理ユニット５２０は、端末デバイスのための複数の上りリンクキャリアに基づいて、電力ヘッドルームレポートを決定するように構成され、前記通信ユニット５１０は、前記ネットワークデバイスに前記電力ヘッドルームレポートを送信するように構成される。
【０１４９】
なお、端末デバイス５００は、上述した方法の実施形態における端末デバイスによって実行される対応する動作を実行することができ、簡潔のために、その説明を省略する。
【０１５０】
図１０は、本願の実施例におけるシステムチップ６００の概略構成図である。図１０のシステムチップ６００は、入力インターフェース６０１、出力インターフェース６０２、メモリ６０４内のコードを実行するプロセッサ６０３、及びメモリ６０４を含み、それらの間を内部通信接続線によって接続することができる。
【０１５１】
任意選択で、コードが実行されると、プロセッサ６０３は、方法の実施形態においてネットワークデバイスによって実行される方法を実施する。簡潔にするために、ここでは説明を省略する。
【０１５２】
任意選択で、コードが実行されると、プロセッサ６０３は、方法の実施形態において端末デバイスによって実行される方法を実施する。簡潔にするために、ここでは説明を省略する。
【０１５３】
図１１は、本発明の実施例による通信デバイス７００の概略ブロック図である。図１１に示すように、通信デバイス７００は、プロセッサ７１０と、メモリ７２０とを有する。メモリ７２０は、プロセッサ７１０がメモリ７２０に記憶されたプログラムコードを実行することができるプログラムコードを記憶することができる。
【０１５４】
任意選択で、図１１に示すように、通信デバイス７００は、プロセッサ７１０が外部と通信するように制御することができる送受信機７３０を含んでもよい。
【０１５５】
任意選択で、プロセッサ７１０は、メモリ７２０に記憶されたプログラムコードを呼び出して、方法の実施形態におけるネットワークデバイスの対応する動作を実行してもよく、簡潔のためにここでは詳しい説明を省略する。
【０１５６】
任意選択で、プロセッサ７１０は、メモリ７２０に記憶されたプログラムコードを呼び出して、方法の実施形態における端末デバイスの対応する動作を実行してもよく、簡潔のためにここでは詳しい説明を省略する。
【０１５７】
本願の実施例のプロセッサは、信号の処理能力を有する集積回路チップであり得ることが理解される。実施において、上述した方法の実施形態のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施形態に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１５８】
本発明の実施形態におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１５９】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１６０】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。 
本明細書で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１６１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１６２】
また、本発明の各実施例における各機能部は、１つの処理部に集積されてもよいし、各部は、物理的に別個に存在してもよいし、２つ以上の部が１つの部に集積されてもよい。
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施形態に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１６３】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2020537370.tif 000003
【図２】
2020537370.tif 000004
【図３】
2020537370.tif 000005
【図４】
2020537370.tif 000006
【図５】
2020537370.tif 000007
【図６】
2020537370.tif 000008
【図７】
2020537370.tif 000009
【図８】
2020537370.tif 000010
【図９】
2020537370.tif 000011
【図１０】
2020537370.tif 000012
【図１１】
2020537370.tif 000013
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
端末デバイスがネットワークデバイスにより送信された第１の情報を受信することと、
前記第１の情報に基づいて、第１の上りリンクキャリアを利用して、上り伝送を行い、又は、前記第１の上りリンクキャリアを処理することとを含み、
前記第１の情報が、前記端末デバイスが第１の上りリンクキャリアを利用することができ、上り伝送を行い、又は、前記第１の上りリンクキャリアを処理するように指示し、前記第１の上りリンクキャリアが、端末デバイスのために使用されることができる複数の上りリンクキャリアのうちの上りリンクキャリアである
ことを特徴とする無線通信方法。
【請求項２】
前記端末デバイスがネットワークデバイスにより送信された第１の情報を受信することは、
前記端末デバイスが、前記ネットワークデバイスが上位レイヤシグナリングを介して送信した前記第１の情報を受信することを含む
ことを特徴とする請求項１に記載の無線通信方法。
【請求項３】
前記第１の情報が、前記端末デバイスが前記第１の上りリンクキャリアを利用して上り伝送を行うように指示し、
前記方法は、さらに、
前記端末デバイスが、前記ネットワークデバイスにより送信された第２の情報を受信することと、
前記端末デバイスが前記第１の上りリンクキャリアを活性化し又は構成することとを含み、
前記第２の情報が、前記端末デバイスに対して前記第１の上りリンクキャリアを活性化し又は構成するために用いられる
ことを特徴とする請求項１又は２に記載の無線通信方法。
【請求項４】
前記第１の情報が下り制御情報ＤＣＩに搬送される
ことを特徴とする請求項３に記載の無線通信方法。
【請求項５】
前記方法は、さらに、
前記端末デバイスが前記ネットワークデバイスにより送信された第３の情報を受信することと、
前記第３の情報に基づいて、前記ネットワークデバイスが前記第２の上りリンクキャリアを利用して上り伝送を行うこととを含み、
前記第３の情報が、前記端末デバイスが前記第２の上りリンクキャリアを利用して上り伝送を行うように指示し、前記第２の上りリンクキャリアが前記複数の上りリンクキャリアのうちの非前記第１の上りリンクキャリアのリンクキャリアであり、
前記第１の情報の伝送と前記第３の情報の伝送が、前記第１の上りリンクキャリアが活性化され又は構成された後の前記端末デバイスのスケジューリングのうちの異なるスケジューリング過程にそれぞれ行う
ことを特徴とする請求項３又は４に記載の無線通信方法。
【請求項６】
前記上り伝送が、ＰＵＣＣＨ伝送又はＰＵＳＣＨ伝送である
ことを特徴とする請求項３〜５のいずれか１項に記載の無線通信方法。
【請求項７】
前記第１の情報がサウンディング基準信号ＳＲＳに関連する情報に搬送され、
前記第１の情報が、前記端末デバイスが前記第１の上りリンクキャリアを利用してＳＲＳの伝送を行うように指示する
ことを特徴とする請求項１〜５のいずれか１項に記載の無線通信方法。
【請求項８】
前記第１の情報が、ＳＲＳを半静的に構成するＳＲＳ構成情報に搬送され、又は、
前記第１の情報が、ＳＲＳを動的にトリガーするトリガーメッセージに搬送される
ことを特徴とする請求項７に記載の無線通信方法。
【請求項９】
前記第１の情報が、タイミング調整のためのコマンドに搬送され、又は、タイミング調整のためのコマンドの伝送に搬送され、前記第１の情報は、前記第１の上りリンクキャリアに対してタイミング調整を行うように指示する
ことを特徴とする請求項１〜６のいずれか１項に記載の無線通信方法。
【請求項１０】
前記第１の情報が、タイミング調整のためのコマンドに含まれるフィールドに搬送され、又は、
前記第１の情報が、前記タイミング調整のためのコマンドが搬送される物理層チャネルの処理情報で示す
ことを特徴とする請求項９に記載の無線通信方法。
【請求項１１】
前記端末デバイスに使用されることができる複数の上りリンクキャリアが、複数の異なる周波数帯域にそれぞれ位置する
ことを特徴とする請求項１〜１０のいずれか１項に記載の無線通信方法。
【請求項１２】
前記第１の上りリンクキャリアが位置する周波数帯域が、他の上りリンクキャリアの周波数帯域よりも低い
ことを特徴とする請求項１１に記載の無線通信方法。
【請求項１３】
通信ユニットと処理ユニットと、を備える端末デバイスであって、
前記通信ユニットは、ネットワークデバイスにより送信された第１の情報を受信するように構成され、前記第１の情報が、前記端末デバイスが第１の上りリンクキャリアを利用することができ、上り伝送を行い、又は、前記第１の上りリンクキャリアを処理するように指示し、前記第１の上りリンクキャリアが、端末デバイスのために使用されることができる複数の上りリンクキャリアのうちの上りリンクキャリアであり、
前記処理ユニットは、前記第１の情報に基づいて、前記第１の上りリンクキャリアを利用し、上り伝送を行い、又は、前記第１の上りリンクキャリアを処理するように構成される
ことを特徴とする端末デバイス。
【請求項１４】
前記通信ユニットは、さらに、
前記ネットワークデバイスが上位レイヤシグナリングを介して送信した前記第１の情報を受信するように構成される
ことを特徴とする請求項１３に記載の端末デバイス。
【請求項１５】
前記第１の情報が、前記端末デバイスが前記第１の上りリンクキャリアを利用して上り伝送を行うように指示し、
前記通信ユニットは、さらに、前記ネットワークデバイスにより送信された第２の情報を受信し、前記第２の情報が、前記端末デバイスに対して前記第１の上りリンクキャリアを活性化し又は構成するために用いられ、
前記処理ユニットは、さらに、前記第１の上りリンクキャリアを活性化又は構成するように構成される
ことを特徴とする請求項１３又は１４に記載の端末デバイス。
【請求項１６】
前記第１の情報が下り制御情報ＤＣＩに搬送される
ことを特徴とする請求項１５に記載の端末デバイス。
【請求項１７】
前記通信ユニットは、さらに、前記ネットワークデバイスにより送信された第３の情報を受信するように構成され、前記第３の情報が、前記端末デバイスが前記第２の上りリンクキャリアを利用して上り伝送を行うように指示し、前記第２の上りリンクキャリアが前記複数の上りリンクキャリアのうちの非前記第１の上りリンクキャリアのリンクキャリアであり、
前記処理ユニットは、さらに、前記第３の情報に基づいて、前記第２の上りリンクキャリアを利用して上り伝送を行うように構成され、
前記第１の情報の伝送と前記第３の情報の伝送が、前記第１の上りリンクキャリアが活性化され又は構成された後の前記端末デバイスのスケジューリングのうちの異なるスケジューリング過程にそれぞれ行う
ことを特徴とする請求項１５又は１６に記載の端末デバイス。
【請求項１８】
前記上り伝送が、ＰＵＣＣＨ伝送又はＰＵＳＣＨ伝送である
ことを特徴とする請求項１５〜１７のいずれか１項に記載の端末デバイス。
【請求項１９】
前記第１の情報がサウンディング基準信号ＳＲＳに関連する情報に搬送され、
前記第１の情報が、前記端末デバイスが前記第１の上りリンクキャリアを利用してＳＲＳの伝送を行うように指示する
ことを特徴とする請求項１３〜１７のいずれか１項に記載の端末デバイス。
【請求項２０】
前記第１の情報が、ＳＲＳを半静的に構成するＳＲＳ構成情報に搬送され、又は、
前記第１の情報が、ＳＲＳを動的にトリガーするトリガーメッセージに搬送される
ことを特徴とする請求項１９に記載の端末デバイス。
【請求項２１】
前記第１の情報が、タイミング調整のためのコマンドに搬送され、又は、タイミング調整のためのコマンドの伝送に搬送され、前記第１の情報は、前記第１の上りリンクキャリアに対してタイミング調整を行うように指示する
ことを特徴とする請求項１３〜１７のいずれか１項に記載の端末デバイス。
【請求項２２】
前記第１の情報が、タイミング調整のためのコマンドに含まれるフィールドに搬送され、又は、
前記第１の情報が、前記タイミング調整のためのコマンドが搬送される物理層チャネルの処理情報で示す
ことを特徴とする請求項２１に記載の端末デバイス。
【請求項２３】
前記端末デバイスに使用されることができる複数の上りリンクキャリアが、複数の異なる周波数帯域にそれぞれ位置する
ことを特徴とする請求項１３〜２２のいずれか１項に記載の端末デバイス。
【請求項２４】
前記第１の上りリンクキャリアが位置する周波数帯域が、他の上りリンクキャリアの周波数帯域よりも低い
ことを特徴とする請求項２３に記載の端末デバイス。
【国際調査報告】
2020537370.tif 000014
2020537370.tif 000015
2020537370.tif 000016
2020537370.tif 000017
2020537370.tif 000018
2020537370.tif 000019
2020537370.tif 000020
2020537370.tif 000021